(57)【特許請求の範囲】
【請求項１】
送風ダクトとつながるダクト接続口、及びダクト接続口から空気を放出する下部開口部を備えて天井から吊り下げられる吹出口チャンバーと、このチャンバーの下部開口部に固定され、チャンバー内の空気を室内に吹き出す吹出グリルとを備えた空気吹出口ユニットにおいて、上記吹出口グリル中央部に長板状の桟をグリル本体から着脱自在に設け、この桟を取り外すことにより手をチャンバー内に挿入可能となし、かつ上記桟とグリル本体の固定を、これら桟とグリル本体の何れか一方に相手側に突出するよう形成された係合突起と、桟またはグリル本体に上記係合突起と対向するように形成され、かつ上記係合突起を嵌合保持する嵌合凹部とにより行なわしめたことを特徴とする空気吹出口ユニット。
【請求項２】
上記グリル本体の上部に、チャンバーの下部開口部に挿入され、かつこの下部開口部の縁部に当接することによりグリル本体のチャンバーに対する位置決めをなす位置決め用突部を突設した請求項１記載の空気吹出口ユニット。
【発明の詳細な説明】
【０００１】
【発明の属する技術分野】
本発明は、例えば空気調和機や換気装置の空気吹出口ユニットに係り、詳しくは天井に据付けられる空気吹出口ユニットに関するものである。
【０００２】
【従来の技術】
上記空気調和機等の空気吹出口ユニットは、図１０に示すように、機械本体と送風ダクトによってつながれるダクト接続口２２やこのダクト接続口２２から入った空気を放出する下部開口部２３を備えた吹出口チャンバー２４と、このチャンバー２４の下部開口部２３に固定され、チャンバー２４内の空気を室内に吹き出す吹出グリルとを備えている。
【０００３】
上記空気吹出口ユニットは、例えば１台の空気調和機本体から分岐して複数台設置されることが多く、このことからチャンバー２４に入る空気の量を調節するために上記ダクト接続口２２にフラップ状の風量調節ダンパー２６を備えている。
【０００４】
すなわち、上記空気調和機では、上記複数個の室内ユニットを取り付けた後に、各チャンバーの風量調節をダンパーにて行う必要があるが、その場合、一度チャンバーにねじ２７等により取付け終えた吹出グリル２５を図示の如く取り外して風量調節した後、再度この吹出グリル２５を取付ける必要がある。さらに、複数個のチャンバーの風量バランスを取る場合、上記吹出グリル２５の着脱を数回繰り返さねばならず、施行性が悪いという問題がある。
【０００５】
また、吹出グリルを取り付けたときに、天井板と吹出グリルの間に上下に隙間ができる場合や、チャンバーと吹出グリルの間に隙間ができる場合も、上記と同様に吹出グリルを外し、チャンバーを吊り下げているボルトのナットを回してチャンバーの高さ調整を図る必要があり、やはり施行性に問題があった。
【０００６】
【発明が解決しようとする課題】
本発明は叙上の如く実状に対処し、吹出グリルの一部に新規な構成を見出すことにより、吹出グリルの取付け後もこの吹出グリルを取り外すことなく、前記グンパーの調節やチャンバーの高さ調整を行わしめることを目的とするものである。
【０００７】
【課題を解決するための手段】
すなわち、上記目的に適合する本発明の空気吹出口ユニットは、送風ダクトとつながるダクト接続口、及びダクト接続口からの空気を放出する下部開口部を備えて天井から吊り下げられる吹出口チャンバーと、このチャンバーの下部開口部に固定され、チャンバー内の空気を室内に吹き出す吹出グリルとを備えた空気吹出口ユニットにおいて、上記吹出口グリル中央部に長板状の桟をグリル本体から着脱自在に設け、この桟を取り外すことにより手をチャンバー内に挿入可能となし、かつ上記桟とグリル本体の固定を、これら桟とグリル本体の何れか一方の相手側に突出するよう形成された係合突起と、桟またはグリル本体に上記係合突起と対向するように形成され、かつ上記係合突起を嵌合保持する嵌合凹部とにより行なわしめたことを特徴とする。
【０００８】
そして、この吹出口ユニットにおいて、上記グリル本体の上部に、チャンバーの下部開口部に挿入され、かつこの下部開口部の縁部に当接することによりグリル本体のチャンバーに対する位置決めをなす位置決め用突部を突設することも可能である。
【０００９】
【作用】
上記本発明の空気吹出口ユニットにおいては、吹出グリルの桟を取り外すことにより、チャンバー内に手を挿入してダンパーを調整しうることから、チャンバーの風量調節時に一々吹出グリルを取り外す必要がなくなり、空気吹出口ユニット取付時の施行性を大きく向上させることが可能である。
【００１０】
そして、上記桟を脱着するに際しても、桟とグリル本体に形成した上記係合突起と嵌合凹部とを嵌合させるだけで済み、桟の位置決めも自動的になされる。
また、吹出グリルをチャンバーに取付ける際には、チャンバーが取付軸を中心に回転したり揺れたりして作業性がよくない場合があるが、請求項２のように位置決め用突部をグリル本体に形成することにより、チャンバーに対するグリル本体の位置決めがなされると共にずれが防止され、これにより安定した状態で取付作業を行うことが可能となる。
【００１１】
【発明の実施の形態】
以下さらに添付図面を参照して、本発明の実施の形態を説明する。
【００１２】
図１は本発明実施形態の空気吹出口ユニットを示す分解斜視図、図２は同空気吹出口ユニットの吹出グリルを示す分解斜視図、図３は同吹出グリルの斜視図、図４は同吹出グリルの中央の桟を示す斜視図である。
【００１３】
上記実施形態の空気吹出口ユニットに、図１に示すように、天井板（図示せず）上方のコンクリート壁等から吊り下げられる箱状の吹出口チャンバー１と、このチャンバー１の下部開口部３にねじ等により固定され、チャンバー１内の空気を室内に吹き出す吹出グリルとを備えている。
【００１４】
上記チャンバー１は例えば空気調和機本体（図示せず）とつながるダクト接続口４を備え、このダクト接続口４からの空気を上記下部開口部３から放出するようになっている。また、チャンバー１の上記ダクト接続口４には半円フラップ状の２枚のダンパー５が開閉自在に形成されている。これらのダンパー５には、夫々図示の如く指を掛け、あるいは挿入しうるように切欠部６が形成されている。
【００１５】
そして、本発明のこの実施形態においては、上記吹出グリル２中央部の長板状の桟７をグリル本体２ａから着脱自在となし、図１に示す如く、この桟７を取り外すことにより手をチャンバー１内に挿入しうる空隙８を形成している。
【００１６】
一方、図４〜図６に示すように、上記桟７とグリル本体２ａとの固定は、桟７の幅方向略中央から上方に突出形成された係合突起９と、グリル本体２ａにこの係合突起９と対向するように形成された嵌合凹部１０との弾性的な嵌合によって行われている。
すなわち、上記係合突起９は先端部に大径または幅広の頭部９ａを有し、嵌合凹部１０はこの係合突起の頭部９ａを弾性変形することによって強制嵌合し、この係合突起頭部９ａを嵌合保持するようになっている。
この係合突起９は上記桟７の長手方向に沿って桟７のほぼ全長に亘り連続して形成されており、この上に断熱材１４が嵌合されている。その結果、この係合突起９は上記桟７の長手方向両端付近に１つずつ形成された格好となっている。この桟７は、上記係合突起９と共に押出成形によって作成される。
また嵌合凹部１０はその対向位置でグリル本体２ａに形成されているが、係合突起９をグリル本体２ａに、嵌合凹部１０を桟７にそれぞれ形成することも可能である。
【００１７】
他方、図６〜図９に示すように、上記グリル本体２ａの上部には、チャンバー１の下部開口部３に挿入され、かつこの下部開口部３の縁部３ａに内側から当接することにより、グリル本体２ａのチャンバー１に対する位置決めとなる４個の位置決め用突部１１が突設されている。
この位置決め用突起１１は、チャンバー１の下部開口部縁部３ａの４辺に当接しうるように形成することが好適であるが、対向する２辺に当接する位置に形成するだけでも効果は出る。
【００１８】
しかして、上記本発明実施形態の空気吹出口ユニットにおいては、図１に示す如く、吹出グリル２の中央の桟７を取り外すことにより、チャンバー１内に手を挿入してダンパー５を調整しうることから、チャンバー１の風量調節時に一々吹出グリル２を取り外す必要がなくなり、空気吹出口ユニット取付時の施行性を大きく向上させることが可能であり、この場合、ダンパー５に切欠部６を形成することにより、指を挿入しやすくしてダンパー調節をさらに容易にすることも可能である。
なお、チャンバー１の高さ調節をする場合は、図７に示す如く、チャンバー１の吊り下げボルト１２をチャンバー１内にナット１３がくるように設け、前記桟７を取り外してこのナット１３を回すことにより、吹出グリル２を挿着したままでチャンバー１の高さを容易に調整することが可能である。
【００１９】
そして、上記桟７を脱着するに際しても、桟７をグリル本体２ａに形成した前記係合突起９と嵌合凹部１０とを嵌合または離脱させるだけで済み、桟７の位置決めも自動的に行うことが可能である。
また、吹出グリル２をチャンバー１に取付ける際には、チャンバー１が取付軸を中心に回転したり揺れたりして作業性がよくない場合があるが、前記したように位置決め用突部１１をグリル本体２ａに形成することにより、チャンバー１に対するグリル本体２ａの位置決めがなされると共に両者のずれが防止され、これにより安定した状態で吹出グリル２の取付作業を行うことが可能となる。
【００２０】
【発明の効果】
以上説明したように、本発明の空気吹出口ユニットは、吹出グリルの桟をグリル本体から着脱自在として、この桟を取り外すことにより手をチャンバーに挿入可能となし、かつ上記桟とグリル本体の固定を、これら桟とグリル本体の何れか一方に相手側に突出するよう形成された係合突起と、桟またはグリル本体に上記係合突起と対向するように形成され、かつ上記係合突起を嵌合保持する嵌合凹部とにより行わしめたものであり、吹出グリルの一部を取り外すことにより、チャンバー内に手を挿入してダンパーを調整しうることから、チャンバーの風量調節時に一々吹出グリルを取り外し、また取り付ける必要がなくなり、これにより室内ユニット取付時の施工性を大きく向上させるとの顕著な効果を奏するものである。
【００２１】
そして、上記桟を脱着するに際しても、桟とグリル本体に形成した上記係合突起と嵌合凹部とを嵌合・離脱させるだけで済み、また桟の位置決めも自動的に行うことができ、さらに請求項２のように位置決め用突部をグリル本体に形成することにより、チャンバーに対するグリル本体の位置決めがなされると共に両者のずれが防止され、これにより安定した状態で吹出グリルの取付作業を行うことが可能となる。
【図面の簡単な説明】
【図１】本発明実施形態の空気吹出口ユニットを示す分解斜視図である。
【図２】同ユニットの吹出グリルを示す分解斜視図である。
【図３】同吹出グリルの斜視図である。
【図４】同吹出グリルの中央の桟を示す斜視図である。
【図５】上記桟を吹出グリルへ取り付けた状態を示す断面図である。
【図６】桟と吹出グリルの固定部を示す断面図である。
【図７】チャンバーの取り付け状態を示す斜視図である。
【図８】同、部分斜視図である。
【図９】グリル本体の位置決め用突部を示す斜視図である。
【図１０】従来の空気調和機の空気吹出口ユニットを示す分解斜視図である。
【符号の説明】
１  チャンバー
２  吹出グリル
２ａ  グリル本体
３  下部開口部
３ａ  開口縁部
４  ダクト接続口
５  ダンパー
６  切欠部
７  桟
８  空隙
９  係合突起
９ａ  頭部
１０  嵌合凹部
１１  位置決め用突部
１２  吊りボルト
１３  蝶ナット
１４  断熱材
【図１】
0003758845.tif 000002
【図２】
0003758845.tif 000003
【図３】
0003758845.tif 000004
【図４】
0003758845.tif 000005
【図５】
0003758845.tif 000006
【図６】
0003758845.tif 000007
【図７】
0003758845.tif 000008
【図８】
0003758845.tif 000009
【図９】
0003758845.tif 000010
【図１０】
0003758845.tif 000011